(57)【要約】【課題】  仕掛けの釣糸への装着などの煩雑性を回避できる、操作性に富む烏賊釣り用の釣竿を構成する穂先竿を提供する。【解決手段】  この穂先竿１は、２つのパーツを連結して１本の竿体としたものである。即ち、穂先竿１は、穂先側を構成するソリッド体（第２竿体）２と、竿元側を構成する中空のパイプ体（第１竿体）３とからなる。また、ソリッド体２の穂先側には線材４が連結されている。釣糸Ｌの先端の生き餌Ｘに烏賊Ｙが抱き付いた後に、ソリッド体２をパイプ体３から取り外して、釣糸Ｌ上を滑らせながら水中に投じる。そして、掛針部に烏賊Ｙを引っ掛けて釣り上げる。【選択図】      図２
2005211051.tif 000002
【特許請求の範囲】
【請求項１】
釣竿を構成する竿体の中で最も穂先側に位置する穂先竿であって、
穂先側端部に形成された受け部及び穂先側端部外周面に配置された釣糸ガイドを有する第１竿体と、
前記受け部に脱着自在に連結される竿元側端部に形成された連結部及び周面に配置された釣糸ガイドを有する第２竿体と、
前記第２竿体の穂先側から分岐してさらに前記第２竿体の穂先側に延びるように前記第２竿体に連結された線材と、
前記線材の穂先側に装着される掛針部と、
を備えた穂先竿。
【請求項２】
前記線材は前記第２竿体に対して脱着自在に連結されている、請求項１に記載の穂先竿。
【請求項３】
前記第２竿体の周面には、その穂先側端部と竿元側端部との少なくとも２カ所に前記釣糸ガイドが配置されている、請求項１または２に記載の穂先竿。
【請求項４】
前記第２竿体の釣糸ガイドは、前記第２竿体の周面に固定される固定部と、前記固定部から起立する金属細線からなる脚部と、前記脚部の金属細線の頭端がリング状に折り曲げられてなる釣糸挿通部とを有し、
前記釣糸挿通部は、リング状に折り曲げられた金属細線の隙間から釣糸をリング内に滑り込ませ得る、請求項１〜３の何れかに記載の穂先竿。
【発明の詳細な説明】
【技術分野】
【０００１】
本発明は、烏賊釣り用の釣竿を構成する竿体の中で、最も穂先側に配置される小径の竿体である穂先竿に関する。
【背景技術】
【０００２】
烏賊釣りの中には、鰺などの小魚を生き餌として用いる方法がある。この釣り方法は、釣糸の先端に鰺などを結びつけて海中を泳動させておき、烏賊がこの鰺に抱き付いた後に「ヤエン」と呼ばれる烏賊釣用仕掛けを釣糸に引掛けて水中に投じ、烏賊を釣り上げる方法である。
【０００３】
この「ヤエン」と呼ばれる仕掛けは、金属製の線材と、その一端及び中間部分から延びる枝と、線材の他端に配置された複数の釣針をまとめた掛針部とを有する。そして、枝の端部の釣糸係止部に釣糸を係止して釣糸上を滑らせて、この仕掛けは水中に投じられる。鰺などの生き餌に抱き付いている烏賊は、この投じられた仕掛けの掛針部に係り、釣り上げられることになる(例えば、特許文献１参照)。また、このような「ヤエン」と呼ばれる仕掛けについては、鰺に抱き付いた烏賊を上手く掛針に引っ掛けるための提案等（特許文献２参照）、様々なタイプのものが提案されている。
【０００４】
このような仕掛けを利用する釣りに於いては、烏賊が鰺などの生き餌に抱き付いた後に、タイミングよく「ヤエン」と呼ばれる仕掛けを釣糸に引っ掛け、釣糸上で水中に投じる必要があり、このような釣糸への「ヤエン」の装着は煩雑である。また、この「ヤエン」の釣糸への装着時に烏賊が逃げてしまうことも考えられる。
【特許文献１】特開2000-342140号公報
【特許文献２】特開2003−116号公報
【発明の開示】
【発明が解決しようとする課題】
【０００５】
本発明の課題は、仕掛けの釣糸への装着などの煩雑性を回避できる、操作性に富む烏賊釣り用の釣竿を構成する穂先竿を提供することにある。
【課題を解決するための手段】
【０００６】
本発明の穂先竿は、釣竿を構成する竿体の中で最も穂先側に位置する穂先竿であって、穂先側端部に形成された受け部及び穂先側端部外周面に配置された釣糸ガイドを有する第１竿体と、受け部に脱着自在に連結される竿元側端部に形成された連結部及び周面に配置された釣糸ガイドを有する第２竿体と、第２竿体の穂先側から分岐してさらに第２竿体の穂先側に延びるように第２竿体に連結された線材と、線材の穂先側に装着される掛針部と、を備えている。
【０００７】
この穂先竿は、複数の竿体を連結してなる釣竿の中で最も穂先側に位置するものであって、他の竿体の穂先側に連結されている。そして、この穂先竿は第１竿体の受け部に第２竿体の連結部を連結してある。また、各釣糸ガイドには手元側の竿体の周面に装着されるリールからの釣糸が挿通される。
【０００８】
この穂先竿で烏賊釣りをおこなう際には、釣人はまず釣糸の先端に鰺などの生き餌をつなぎ、水中で烏賊が生き餌に抱き付くのを待つ。烏賊が生き餌に抱き付いたら、穂先竿の第１竿体から第２竿体を取り外し、第２竿体の釣糸ガイドに挿通されている釣糸上で、第２竿体を水中に滑り込ませる。そして、水中で生き餌に抱き付いている烏賊が第２竿体に連結されている線材の掛針部に引っ掛かった後に、釣人は釣糸を巻き上げて烏賊を取り込む。
【０００９】
なお、この線材は第２竿体に対して脱着自在としてもよい。線材を第２竿体に対して脱着自在とする場合には、線材のみを第２竿体から取り外して、これを水中に滑り込ませることになる。
【００１０】
好ましくは、第２竿体の周面には、その穂先側端部と竿元側端部との少なくとも２カ所に釣糸ガイドが配置される。第２竿体は上述のように釣糸ガイドに釣糸を挿通させたまま、釣糸上を滑らせて水中に投じられるものである。上述の２カ所の釣糸ガイドが第２竿体を釣糸上に掛けたまま、水中に投じられることになる。水中に投じられる第２竿体はあまり軸長方向長さが長いと水中に投じ難く、釣糸ガイド２つ分程度の軸長方向長さとしている。
【００１１】
また、例えば、中実竿体の釣糸ガイドは、中実竿体の周面に固定される固定部と、固定部から起立する金属細線からなる脚部と、脚部の金属細線の頭端がリング状に折り曲げられてなる釣糸挿通部とを有するものとしてもよい。この釣糸挿通部は、リング状に折り曲げられた金属細線の隙間から釣糸をリング内に滑り込ませ得る。
【００１２】
水中で中実竿体を紛失した場合や破損してしまった場合には、他の竿体及び中空竿体の釣糸ガイドに挿通した釣糸については何ら作業を行うことなく、中実竿体の釣糸ガイドの釣糸挿通部に釣糸を滑り込ませて、中実竿体を交換乃至釣糸に装着可能である。
【発明の効果】
【００１３】
本発明の穂先竿によれば、仕掛けを装着する手間などを回避でき、烏賊釣りが容易になる。
【発明を実施するための最良の形態】
【００１４】
［第１実施形態］
以下、図面を参照しつつ、本発明の第１実施形態について説明する。
【００１５】
以下、本発明の第１実施形態について図面を参照しつつ説明する。
【００１６】
この穂先竿１は、穂持ち竿などの他の竿体（図示せず）の穂先側に連結されている。釣竿全体としては、例えば、元竿，穂持ち竿などがさらに存在し、元竿の周面のリールシートにはリールが装着されている。各竿体の周面には釣糸ガイドが取り付けられており、リールからの釣糸が各釣糸ガイドを挿通して穂先側に導かれている。
【００１７】
図１に詳しく示すように、穂先竿１は、２つのパーツを連結して１本の竿体としたものである。即ち、穂先竿１は、穂先側を構成するソリッド体（第２竿体）２と、竿元側を構成する中空のパイプ体（第１竿体）３とからなる。また、ソリッド体２の穂先側には線材４が連結されている。
【００１８】
ソリッド体２は、全体として穂先側ほど小径化するテーパが施された棒状・中実の部材である。ガラス繊維や炭素繊維を軸方向に引き揃えた上で合成樹脂を含浸させた繊維強化樹脂を加圧加熱して形成されている。このソリッド体２の竿元側端部には他の部分より小径に連結部２ａが形成されている。後述のように、このソリッド体２は水中に投じられる部分であり、水中への投入速度を確保するためにある程度の比重を有するようにするのが好ましい。
【００１９】
図２に詳しく示すように、ソリッド体２の穂先側端部にはトップガイド５が装着されている。トップガイド５は、ソリッド体２の穂先側においてその軸芯から折れ曲がり起立した形状をなし、セラミックスなどの硬質部材からなるガイドリングがはめ込まれている。このガイドリングに釣糸Ｌが挿通している。また、ソリッド体２の周面には、軸方向に間隔を隔てて複数の釣糸ガイド６が装着されている。釣糸ガイド６は、ソリッド体２の周面から起立する脚部を有し、この脚部の頭端にガイドリングがはめ込まれている。このガイドリングを釣糸Ｌが挿通する。
【００２０】
パイプ体３は、全体として穂先側ほど小径化するテーパが施された先細り筒状部材である。穂先側端部内周面は所定の形状に削られて上記連結部３ａを受ける受け部となっている。このパイプ体３は、上述のソリッド体２と同様に繊維強化樹脂から構成される。例えば、所定のテーパが施された芯材の周面にシート状若しくはテープ状の繊維強化樹脂を巻回し焼成して製造される。また、パイプ体３の穂先側端部の周面にも釣糸ガイド６が装着されている。この釣糸ガイド６も上述のソリッド体２の釣糸ガイド６と同種のものである。その他、図示しないものの、ソリッド体２の周面にも、軸方向に間隔を隔てて複数の釣糸ガイド６が配置され連結されている。
【００２１】
図２に詳しく示すように、線材４は、ソリッド体２の穂先側の周面に一端が固定されている、スチール・チタン等若しくはステンレス合金等から形成される金属細線である。線材４は、ソリッド体２の周面の一方向（詳しくは、トップガイド５や釣糸ガイド６の起立方向と周方向に１８０度変位する方向）に起立してソリッド体２の周面から離れた後に、再度、ソリッド体２の軸方向に並行に穂先側に延びている。即ち、ソリッド体２から穂先側において枝分かれして分岐し、さらに穂先側に延びるようになっている。この線材４は、一本の線材を折り曲げ若しくは複数の線材を溶接等することで構成されている。また、線材４には、任意の箇所に錘４ａを取り付けてもよい。
【００２２】
さらに、この線材４の先端側には複数の釣針がまとめられた掛針部１０が装着されている。釣針を有する掛針部１０は、線材４の先端側端部のみに取り付けてもよいが、複数の釣針を有する掛針部１０を線材４の周面に間隔を隔てて取り付けてもよい。
【００２３】
この穂先竿１を有する釣竿は、以下のようにして用いられる。
【００２４】
烏賊釣りをおこなう際には、釣人は、リールから各釣糸ガイド６及びトップガイド５を挿通してきた釣糸Ｌの先端に鰺などの生き餌Ｘをつなぎ、水中で生き餌Ｘを泳動させて烏賊をおびき寄せる。そして、水中で烏賊Ｙが生き餌Ｘに抱き付くのを待つ。烏賊Ｙが生き餌Ｘに抱き付いたら、穂先竿１のパイプ体３からソリッド体２を取り外し、ソリッド体２の各種釣糸ガイド５，６に挿通されている釣糸Ｌ上で、ソリッド体２を水中に滑り込ませる。この状態では、釣竿の最も穂先側には穂先竿１のパイプ体３のみが存在することとなり、パイプ体３の穂先側端部の釣糸ガイド６が、最も穂先側において釣糸Ｌを支持することになる。そして、図２に示すように、水中で生き餌に抱き付いている烏賊Ｙが線材４の釣針を有する掛針部１０に引っ掛かった後に、釣人Ｌは釣糸を巻き上げて烏賊Ｙを取り込む。
【００２５】
なお、この実施形態では、ソリッド体２を線材４と共に水中に投じるタイプの穂先竿を示しているが、線材４をソリッド体２に対して脱着自在とし、線材４のみを水中に投じ得るようにしてもよい。この場合には、線材４にも釣糸が挿通するための釣糸ガイドを取り付ける必要がある。若しくは、市販のヤエンと呼ばれる仕掛けを線材４に代えて利用することもできる。さらに、この実施形態では、ソリッド体２を利用しているが、パイプ体３と同様に中空のものを利用してもよい。
【００２６】
［第２実施形態］
図３に、上記実施形態の変形例を示す。
【００２７】
この穂先竿のソリッド体１２の釣糸ガイド１５は、ソリッド体１２の周面に固定される固定部１５ａと、固定部１５ａから起立する脚部１５ｂと、脚部１５ｂの頭端のリング１５ｃとを有する。固定部１５ａ乃至リング１５ｃ（釣糸挿通部）は金属細線を折り曲げて一体的に形成されている。固定部１５ａはソリッド体１２の周面に合わせて折り曲げられ、巻糸及びこれをコーティングする合成樹脂等で、ソリッド体１２に固定されている。また、脚部１５ｂの頭端がリング状に折り曲げられてリング１５ｃが構成されている。この釣糸挿通部１５ｃは、リング状に折り曲げられた金属細線の隙間から釣糸Ｌをリング内に滑り込ませ得るものである。
【００２８】
なお、図３に於いては、ソリッド体１２の最も穂先側に位置する釣糸ガイドを示しているが、その他のソリッド体１２の周面に装着される釣糸ガイドも同種のものである。
【００２９】
このような穂先竿では、水中で誤ってソリッド体１２を紛失した場合や破損してしまった場合、他の竿体及びパイプ体の釣糸ガイドに挿通した釣糸については何ら作業を行うことなく、ソリッド体１２の釣糸ガイド１５に釣糸Ｌを滑り込ませて、ソリッド体１２を交換乃至釣糸Ｌに装着可能である。
【００３０】
［第３実施形態］
図４に、別の変形例を示す。
【００３１】
この穂先竿も、上記第１実施形態と同様に、ソリッド体２２とパイプ体２３とを連結して構成されたものである。ソリッド体２２は穂先竿全体の軸長方向長さの１／１０〜１／８程度の軸長方向長さを有し、具体的には、例えば、200mm程度の軸長方向の長さを有する。そして、ソリッド体２２の穂先側端部にはトップガイド２５が装着されており、竿元側端部の周面には釣糸ガイド２６が装着されている。このトップガイド２５及び釣糸ガイド２６は、上記第２実施形態のようなタイプのものを利用してもよい。
【００３２】
このソリッド体２２にも第１実施形態のような線材２４が連結されている。このような穂先竿においても、第１実施形態と同様の作用効果を奏する。
【図面の簡単な説明】
【００３３】
【図１】本発明に係る穂先竿１を示した図。
【図２】図１の穂先竿１のソリッド体２を水中に投じた際の状態を示した図。
【図３】穂先竿のソリッド体の変形例を示した図。
【図４】穂先竿のさらに別の変形例を示した図。
【符号の説明】
【００３４】
１  穂先竿
２，１２，２２  ソリッド体
３，１３，２３  パイプ体
４，２４  線材
Ｌ  釣糸
Ｘ  生き餌
Ｙ  烏賊
【図１】
2005211051.tif 000003
【図２】
2005211051.tif 000004
【図３】
2005211051.tif 000005
【図４】
2005211051.tif 000006